(57)【要約】【課題】本発明では、鏡を前方に移動したまま回転させることにより鏡の向きを変えることができるため、鏡の正面に立たなくても鏡に自己の姿を写すことができるとともに、必要に応じて鏡裏の収納部または照明装置を手元に移動させることが容易に可能となることで、使い勝手の向上した化粧鏡を提供することを目的とする。【解決手段】本体と、該本体にリンク片を介して取り付けられたフレームと前記フレームに取り付けられた鏡を備えた化粧鏡において、前記フレームが前記リンク片により前方へ突出自在に取り付けられ、前記鏡が回動具を介して前記フレームに軸支されるようにした。【選択図】　図１
2004089334.tif 000002
【特許請求の範囲】
【請求項１】
本体と、該本体にリンク片を介して取り付けられたフレームと前記フレームに取り付けられた鏡を備えた化粧鏡において、
前記フレームが前記リンク片により前方へ突出自在に取り付けられ、前記鏡が回動具を介して前記フレームに軸支されていることを特徴とする化粧鏡。
【請求項２】
前記フレームが前記鏡の全周を囲む形状となっていることを特徴とする請求項１に記載の化粧鏡。
【請求項３】
前記鏡の裏面に照明装置あるいは収納ポケット等を設けたことを特徴とする請求項１乃至２のいずれかに記載の化粧鏡。
【請求項４】
前記鏡の側面部に凸部を設け、前記フレームの内側面部に凹部を設け、前記凸部と凹部が互いに嵌合することを特徴とする請求項１乃至３のいずれかに記載の化粧鏡。
【請求項５】
前記鏡の所定の位置と前記フレーム所定の位置に照明装置または防曇ヒーター等の電気的接続点をそれぞれ取付けたことを特徴とする請求項１乃至４のいずれかに記載の化粧鏡。
【発明の詳細な説明】
【０００１】
【発明の属する技術分野】
本発明は、洗面化粧台の後部上方に備えてなる化粧鏡に関するものである。
【０００２】
【従来の技術】
従来の化粧鏡は、図１５に示す如く、本体の上方部に照明を備え、側方部へ収納部、中央部に鏡で構成したものが一般的である。
また、化粧などの際に、近くで鏡を見ることができるように中央部の鏡を前方へ移動可能としたものとして実開昭６２−１６６７４６、特開平１０−２６２８４３、特開平１１−２４４１６６がある。
【０００３】
【発明が解決しようとする課題】
上記従来の技術では、化粧鏡の鏡を前方へ移動することができ、使用者が鏡を近くで見たい場合、鏡の方へ顔を近づける必要がなく楽な姿勢で鏡を見ることができる。しかし、鏡の向きは固定されており、使用者は鏡の正面からでなければ、鏡に写った自己の姿を見ることが難しいという課題があった。
【０００４】
このような課題を解決するものとして特開２００１−１０４１２４があるが、鏡を前方へ移動できないため使用者が鏡を近くで見たい場合、鏡の方へ顔を近づける必要があるうえに、鏡の裏には物を収納できないという課題があるとともに鏡そのものの回転角度はある程度限られており十分な使い勝手を得られないという課題があった。
【０００５】
一方、実開昭６２−１６６７４６、特開平１０−２６２８４３、特開平１１−２４４１６６では鏡の後方に鏡と一体的に前方移動可能な収納箱を備えることで収納部の物の出し入れのしやすさ等に配慮しているが、鏡の後方の収納部に物を出し入れするためには鏡扉を開け収納部の中まで手を伸ばさなければならないという課題があった。
【０００６】
そこで、本発明では、鏡を前方に移動したまま回転させることにより鏡の向きを変えることができるため、鏡の正面に立たなくても鏡に自己の姿を写すことができるとともに、必要に応じて鏡裏の収納部または照明装置を手元に移動させることが容易に可能となることで、使い勝手の向上した化粧鏡を提供するものである。
【０００７】
【課題を解決するための手段】
上記課題を解決するため本発明は、本体と、該本体にリンク片を介して取り付けられたフレームと前記フレームに取り付けられた鏡を備えた化粧鏡において、前記フレームが前記リンク片により前方へ突出自在に取り付けられ、前記鏡が回動具を介して前記フレームに軸支されていることを特徴とする。
【０００８】
本発明によれば、通常は従来の化粧鏡として使用でき、鏡を前方へ引き寄せたときは、鏡の角度を使用者の使いたい角度に変えることができる。
【０００９】
本発明の好ましい態様として、前記フレームが前記鏡の全周を囲む形状となっていることを特徴とする。
本発明によれば、フレーム全体に剛性を持たせることができるため、大きな鏡であっても、鏡を前方へ引き寄せ鏡の角度を使用者の使いたい角度に変える場合、安定して回転させることができる。
【００１０】
本発明の好ましい態様として、前記鏡の裏面に照明装置あるいは収納ポケット等を設けたことを特徴とする。
本発明によれば、鏡を１８０度回転させると照明装置が前面に出てくるため手元を明るく照らすことができ、あるいは、収納ポケット等が使用者の手元に現われるため、収納ポケットへの物の出し入れも手を奥まで伸ばすことなく簡単に行うことができる。
【００１１】
本発明の好ましい態様として、前記鏡の側面部に凸部を設け、前記フレームの内側面部に凹部を設け、前記凸部と凹部が互いに嵌合することを特徴とする。
本発明によれば鏡が正面向き、または１８０度反転させた場合に、鏡の位置決めをしやすくすることができるとともに、鏡を前後に移動させる際に鏡がぐらついたり使用者の意に反して回転したりすることを防ぐことができ、使い勝手が向上する。
【００１２】
本発明の好ましい態様として、前記鏡の所定の位置と前記フレーム所定の位置に照明装置または防曇ヒーター等の電気的接続点をそれぞれ取付けたことを特徴とする。
本発明によれば鏡を１８０度回転させることにより鏡に取り付けた照明装置のスイッチの入切が可能となるため別途鏡に取り付けた照明装置用の照明スイッチを設ける必要がない。また、鏡を回転させると鏡の裏面に取り付けた防曇ヒーターのスイッチが切れるため、スイッチの切り忘れがなくなるとともに、消費電力の節約にもなる。
【００１３】
【発明の実施の形態】
以下に図面を参照して本発明をより具体的に説明する。
【００１４】
図１は本発明の一実施例に係る化粧鏡の外観斜視図である。化粧鏡の本体１０１は照明装置Ａ１０２が取り付けられた上方部、収納部として箱型に形成された側方部１０３、鏡１０７収納部内の４隅に前方へ突出自在に取り付けられたリンク片１０４、リンク片１０４の片側に両端を支持された上下２本のフレーム１０５、それぞれのフレーム１０５の中央部に回動具１０６を介して垂直方向の回転軸１０８に軸支され左右方向に回転する鏡１０７で構成されている。
フレーム１０５とリンク片１０４は鏡１０７の上下にそれぞれコの字形状をなすように形成されており、それぞれが一体に成形されたものであってもかまわない。回動具１０６は鏡１０７とフレーム１０５の中心軸を一直線に固定できる軸、または上下のフレーム１０５と鏡１０７の中心をそれぞれピンで回動自在に固定することができるものであればよい。鏡１０７が裏面のバックパネル１０９に一体的に取り付けられている場合はバックパネル１０９の中心軸とフレーム１０５の中心軸を回動具１０６により軸支すればよい。また、バックパネル１０９の周囲に把手をつけたり、バックパネル１０９を鏡１０７よりも大きくすることにより把手やバックパネル１０９を持って鏡１０７を移動・回転させることができるため、鏡１０７を手で汚すこと無く使用できるようにすることもできる。さらに、フレーム１０５、バックパネル１０９または鏡に照明装置を取り付けることにより、鏡１０７と一体的に照明装置を移動するようにもすることができるため鏡１０７の前方を常に使用者にとって明るく照らすことが可能である。
尚、鏡１０７を前方へ突出自在とするためのリンク片１０４の構造は、例えば、特開平１０−２６２８４３、特開平１１−２４４１６６で開示されているような形状でもよいし、また特開２００２−１６５６５６で開示されているように本体へ固定レールを前後の方向に取付け、リンク片１０４をスライドレールとして固定レール上をスライドする形状とすることにより可能である。
【００１５】
図２は本発明の一実施例に係る化粧鏡の外観斜視図である。化粧鏡の本体１０１は照明装置Ａ１０２が取り付けられた上方部、収納部として箱型に形成された側方部１０３、鏡１０７収納部内の４隅に前方へ突出自在に取り付けられたリンク片１０４、リンク片１０４の片側に両端を支持された左右２本のフレーム１０５、それぞれのフレーム１０５の中央部に回動具１０６を介して水平方向の回転軸１０８に軸支され上下方向に回転する鏡１０７で構成されている。
フレーム１０５とリンク片１０４は鏡１０７の左右にそれぞれコの字形状をなすように形成されており、それぞれが一体に成形されたものであってもかまわない。回動具１０６は鏡１０７とフレーム１０５の中心軸を一直線に固定できる軸、または左右のフレーム１０５と鏡１０７の中心をそれぞれピンで回動自在に固定することができるものであればよい。鏡１０７が裏面のバックパネル１０９に一体的に取り付けられている場合はバックパネル１０９の中心軸とフレーム１０５の中心軸を回動具１０６により軸支すればよい。
【００１６】
図３は本発明の一実施例に係る化粧鏡の外観斜視図である。
化粧鏡の本体１０１は照明装置１０２が取り付けられた上方部、収納部として箱型に形成された側方部１０３、鏡１０７収納部内の４隅に前方へ突出自在に取り付けられたリンク片１０４、４本のリンク片１０４の片側に４隅をそれぞれ支持された四角形状のフレーム１０５、フレーム１０５の上下中央部内側に回動具１０６を介して垂直方向の回転軸１０８に軸支され左右方向に回転する鏡１０７で構成されている。
４角形状のフレーム１０５は中央部が中空となっており、この中で鏡１０７を水平方向に回転させることができるようになっているが、鏡１０７をフレーム１０５の左右中央部内側に回動具１０６を介して水平方向の回転軸１０８に軸支させれば上下方向に回転するように構成することも可能である。尚、４角形状のフレーム１０５は樹脂や金属で一体に成形されたものであっても、複数の部材で構成されたものでもよい。
【００１７】
図４は本発明の一実施例に係る化粧鏡の外観斜視図である。
化粧鏡の本体１０１は照明装置Ａ１０２が取り付けられた上方部、収納部として箱型に形成された側方部１０３、鏡１０７収納部内の４隅に前方へ突出自在に取り付けられたリンク片１０４、４本のリンク片１０４の片側に４隅をそれぞれ支持された四角形状のフレーム１０５、フレーム１０５の上下中央部内側に回動具１０６を介して垂直方向の回転軸１０８に軸支され左右方向に回転する鏡１０７で構成されている。
４角形状のフレーム１０５に軸支された鏡１０７の裏面中央部には照明装置Ｂ４０１を取り付けてある。鏡１０７を前方に引き出し、１８０度回転させると照明装置Ｂ４０１が前方に現れるため、使用者は手元照明として照明装置Ｂ４０１を使用することができる。
【００１８】
図５は本発明の一実施例に係る化粧鏡の外観斜視図である。
化粧鏡の本体１０１は照明装置Ａ１０２が取り付けられた上方部、収納部として箱型に形成された側方部１０３、鏡１０７収納部内の４隅に前方へ突出自在に取り付けられたリンク片１０４、４本のリンク片１０４の片側に４隅をそれぞれ支持された四角形状のフレーム１０５、フレーム１０５の上下中央部内側に回動具１０６を介して垂直方向の回転軸１０８に軸支され左右方向に回転する鏡１０７で構成されている。
４角形状のフレーム１０５に軸支された鏡１０７の裏面には収納ポケット５０１を取り付けてある。鏡１０７を前方に引き出し１８０度回転させると収納ポケット５０１が使用者の手元に現れるため、収納ポケット５０１への物の出し入れが手を奥まで伸ばすことなく簡単に行うことができる。
尚、図４、図５に示すように鏡１０７の裏面には照明装置Ｂ４０１や収納ポケット５０１に限らず、例えばドライヤーなどを引っかけるフック、ボックスティシュペーパーのホルダー、電気コンセント、歯ブラシ入れ、タオルバーなどを必要に応じて組み合わせるなどして取り付けておくことにより使用者の使い勝手の向上を図ることができる。
【００１９】
図６は本発明の一実施例に係る化粧鏡の鏡１０７とフレーム１０５を上から見た平面図である。鏡１０７の側面部には凸部６０１を設け、フレームの内側面部には凹部６０２が設けてあり、前記凸部６０１と前記凹部６０２が互いに嵌合するようになっている。
図６のように鏡１０７が裏面のバックパネル１０９に一体的に取り付けられている場合は、鏡１０７の側面部は鏡１０７そのものでなくバックパネル１０９の側面部であってもよい。また、鏡１０７の側面部を凹部６０２とし、フレーム１０５の内側面部を凸部６０１とし前記凸部６０１と前記凹部６０２が互いに嵌合するようになっていてもよい。鏡１０７の側面部とフレーム１０５の内側面部の全体がそれぞれ凸部６０１、凹部６０２となり嵌合するようになっていてもよいが、鏡１０７の側面部とフレーム１０５の内側面部のそれぞれ一部分のみが凸部６０１、凹部６０２となり嵌合するようになっていてもよい。尚、凸部６０１、凹部６０２のそれぞれの嵌合面はＲ形状としたり、または、ばねなどの弾性体を介して凸部６０１を構成したり、凸部６０１、凹部６０２のそれぞれにゴムや樹脂などの弾性素材を用いることにより、より円滑に嵌合させることが可能となる。
【００２０】
図７、図８は本発明の一実施例に係る化粧鏡部の外観斜視図であり、図９は本発明の一実施例に係る化粧鏡の鏡１０７とフレーム１０５を上から見た平面図である。鏡１０７の裏面には防曇ヒータ７０１が取り付けられている。鏡１０７の側面部には鏡側電気的接続点７０２が取付けられている。一方、フレーム１０５の内側面部にはフレーム側電気的接続点７０３が取付けられている。両電気的接続点は、例えば、鏡側電気的接続点７０２を鏡１０７の右側側面部に設け、フレーム側電気的接続点７０３もフレーム１０５の同じ右側側面部に設けるとよい。以上のような構成とすることにより、鏡１０７を正面に向けた状態では防曇ヒーター７０１に通電され、防曇ヒーター７０１が使用可能となる。一方、図８、図９に示すように鏡１０７を回転させると防曇ヒーター７０１への通電が遮断される。
したがって、鏡１０７を回転させると防曇ヒーター７０１のスイッチが切れるため、スイッチの切り忘れがなくなるとともに、消費電力の節約にもなる。
【００２１】
図１０、図１１は本発明の一実施例に係る化粧鏡部の外観斜視図である。鏡１０７の裏面には照明装置Ｂ４０１が取り付けてあり、鏡１０７の側面部には鏡側電気的接続点７０２を設け、フレーム１０５の内側面部にはフレーム側電気的接続点７０３が設けてある。両電気的接続点は例えば、鏡側電気的接続点７０２を鏡１０７の左側側面部に設け、フレーム側電気的接続点７０３は逆のフレーム１０５の右側側面部に設けるとよい。
以上のような構成とすることにより、鏡１０７を正面に向けた状態では照明装置Ｂ４０１に通電されることはない。一方、図１１に示すように鏡１０７を１８０度回転させると照明装置に通電されるようになる。
したがって、鏡１０７を回転させたときのみ照明装置Ｂ４０１に通電されるため、別途照明装置Ｂ４０１用のスイッチを設ける必要がない。
【００２２】
図１２、図１３は本発明の一実施例に係る化粧鏡部の外観斜視図である。
鏡１０７はフレーム１０５の中央部に回動具１０６を介して水平方向の回転軸１０８に軸支され上下方向に回転するようになっている。
鏡１０７の裏面には照明装置Ｂ４０１が取り付けてあり、鏡１０７の側面部には鏡側電気的接続点７０２を設け、フレーム１０５の内側面部にはフレーム側電気的接続点７０３が設けてある。両電気的接続点は例えば、鏡側電気的接続点７０２を鏡１０７の上側側面部に設け、フレーム側電気的接続点７０３は逆のフレーム１０５の下側側面部に設けるとよい。
以上のような構成とすることにより、鏡１０７を正面に向けた状態では照明装置Ｂ４０１に通電されることはない。一方、図１３に示すように鏡１０７を１８０度回転させると照明装置Ｂ４０１に通電されるようになる。
したがって、鏡１０７を１８０度回転させたときのみ照明装置Ｂ４０１に通電されるため、別途スイッチを設ける必要がない。また、照明装置Ｂ４０１を手元照明として使用できるため洗面化粧台の前に座って化粧をするなどの際に大変使いやすくなる。更に、照明装置Ｂ４０１そのものは手元の位置に現れるためランプ交換などのメンテナンスがしやすくなるといった効果もある。
【００２３】
図１４は本発明の一実施例に係る化粧鏡部の外観斜視図である。鏡１０７はフレーム１０５の中央部に回動具１０６を介して水平方向の回転軸１０８に軸支され上下方向に回転するようになっている。
鏡１０７の裏面には照明装置Ｂ４０１が取り付けてあり、鏡１０７の側面部には鏡側電気的接続点７０２を設け、フレーム１０５の内側面部にはフレーム側電気的接続点７０３が設けてある。両電気的接続点は例えば、図１４のように鏡側電気的接続点７０２を鏡１０７の上側側面部に設け、フレーム側電気的接続点７０３はフレーム１０５の上下両側の側面部に設けるとよい。
以上のような構成とすることにより、鏡１０７を正面に向けた状態では鏡側電気的接続点７０２と上方のフレーム側電気的接続点７０３との間で照明装置Ｂ４０１に通電されるため通常の上部照明として使用することができる。一方、鏡１０７を回転させる途中では照明装置Ｂ４０１に通電されないが、１８０度回転させると鏡側電気的接続点７０２が下方へ移動し、下方のフレーム側電気的接続点７０３との間で照明装置Ｂ４０１に再び通電される。したがって、一つの照明装置Ｂ４０１を上部照明としても手元照明としても使用できるようになり、照明装置を２ヶ所取付けることなく、利便性の高い洗面化粧台を提供することができる。
【００２４】
【発明の効果】
本発明では上記の構成とすることにより、鏡を前方に移動したまま回転させることにより鏡の向きを変えることができるため、鏡の正面に立たなくても鏡に自己の姿を写すことができるとともに、必要に応じて鏡裏の収納部または照明装置を手元に移動させることが容易に可能となることで、使い勝手の向上した化粧鏡を提供することができる。
【図面の簡単な説明】
【図１】本発明の一実施例に係る化粧鏡の外観斜視図である。
【図２】本発明の一実施例に係る化粧鏡の外観斜視図である。
【図３】本発明の一実施例に係る化粧鏡の外観斜視図である。
【図４】本発明の一実施例に係る化粧鏡の外観斜視図である。
【図５】本発明の一実施例に係る化粧鏡の外観斜視図である。
【図６】本発明の一実施例に係る化粧鏡の鏡とフレームを上から見た平面図である。
【図７】本発明の一実施例に係る化粧鏡部の外観斜視図である。
【図８】本発明の一実施例に係る化粧鏡部の外観斜視図である。
【図９】本発明の一実施例に係る化粧鏡の鏡とフレームを上から見た平面図である。
【図１０】本発明の一実施例に係る化粧鏡部の外観斜視図である。
【図１１】本発明の一実施例に係る化粧鏡部の外観斜視図である。
【図１２】本発明の一実施例に係る化粧鏡部の外観斜視図である。
【図１３】本発明の一実施例に係る化粧鏡部の外観斜視図である。
【図１４】本発明の一実施例に係る化粧鏡部の外観斜視図である。
【図１５】従来の化粧鏡の外観斜視図である。
【符号の説明】
１０１…本体、１０２…照明装置Ａ、１０３…側方部
１０４…リンク片、１０５…フレーム、１０６…回動具
１０７…鏡、１０８…回転軸、１０９…バックパネル
４０１…照明装置Ｂ
５０１…収納ポケット
６０１…凸部、６０２…凹部
７０１…防曇ヒーター、７０２…鏡側電気的接続点
７０３…フレーム側電気的接続点
【図１】
2004089334.tif 000003
【図２】
2004089334.tif 000004
【図３】
2004089334.tif 000005
【図４】
2004089334.tif 000006
【図５】
2004089334.tif 000007
【図６】
2004089334.tif 000008
【図７】
2004089334.tif 000009
【図８】
2004089334.tif 000010
【図９】
2004089334.tif 000011
【図１０】
2004089334.tif 000012
【図１１】
2004089334.tif 000013
【図１２】
2004089334.tif 000014
【図１３】
2004089334.tif 000015
【図１４】
2004089334.tif 000016
【図１５】
2004089334.tif 000017